(57)【特許請求の範囲】
【請求項１】
線材を用いた枠体として形成され、引出の内部において該引出の前板から離間して設置され、該前板との間にまな板を収納する収納部を形成する仕切部材と、
前記仕切部材の下部に取り付けられ、前記まな板の下端を支持する複数の台座部と、
を備え、
前記台座部は、該台座部を前記仕切部材に複数の姿勢で取付可能な複数の接合部と、各姿勢において前記まな板の下端をそれぞれ支持する複数の支持面とを有し、
前記複数の接合部は前記台座部の１つの姿勢につき２つ以上の接合部で前記仕切部材に嵌合して取り付けられ、かつ該２つ以上の接合部は前記仕切部材の異なる方向へ延びる線材にまたがって嵌合することで該台座部の姿勢を固定可能であり、
前記台座部の１の姿勢と他の姿勢とでは前記引出の底面に対する前記支持面の高さが異なることを特徴とするまな板収納装置。
【請求項２】
少なくとも１つの前記支持面は、前記仕切部材へ向かって低くなる傾斜を有することを特徴とする請求項１に記載のまな板収納装置。
【請求項３】
前記複数の接合部は、１の接合部を中心にして前記台座部を前記仕切部材に対して回転可能であって、かつ該台座部の回転の前後の各姿勢において他の接合部を該仕切部材に嵌合させることによって該台座部をそれぞれの姿勢で固定可能であることを特徴とする請求項１または２に記載のまな板収納装置。
【発明の詳細な説明】
【技術分野】
【０００１】
本発明は、引出を備える収納庫の内部においてまな板を収納するまな板収納装置に関するものである。
【背景技術】
【０００２】
キッチンには、調理器具や調理材料、食器などを収納しておくために、多くの収納スペースが設けられている。このため天板（システムキッチンにおいてはワークトップ）の下には、引出や開き戸が設けられるのが通常である。近年はキッチンの使用態様の研究がすすみ、引出などを単なるがらんどうの空間として提供するのではなく、収納される被収納物をある程度想定して収納部や仕切りの大きさや形状を工夫することにより、使い勝手の向上を図ることが行われている。
【０００３】
そのような例として、コンロを有するコンロキャビネットには鍋などを入れる大きな引出や開き戸を設けたり、調理スペースを有するベースキャビネットには食器や調理器具を入れる浅い引出を多く設けたりしている。特に引出の前板の背面側は、引出を少し引き出すだけですぐに収納物を手に取ることができる利便性の高い領域である。そのため、この領域には包丁や杓子等の頻繁に使用する調理器具を収納する収納部が設けられるのが通例である。
【０００４】
例えば、特許文献１には、収納部（引出）の前板部の裏面に、包丁やまな板等の収納物を立てて収納する収納プレートを備えるキャビネットが開示されている。特許文献１に記載のキャビネットでは、収納プレートの下端部に引出の奥側へ向かって突出する突出部が形成されていて、水気の付いた収納物であっても引出の底面に触れさせることなく収納できるとされている。また、収納プレートに着脱可能な各種の保持部材を装着することで、まな板、鍋ぶた、包丁など、様々な収納物を立てた状態で収納することが可能であるとされている。
【先行技術文献】
【特許文献】
【０００５】
【特許文献１】特開２００９−１１９００９号公報
【発明の概要】
【発明が解決しようとする課題】
【０００６】
上記特許文献１に記載の構成によれば、前板の背面側に様々な収納物を収納することが可能である。しかし、そのような収納物の中でまな板に注目した場合、市販のまな板には大小さまざまな寸法がある。すると、寸法が小さいまな板は立てた際の高さも低いため、身をかがめて引出の内部に手を差し入れなければならず、前板の背面側（引出の手前寄り）に収納しているにもかかわらず取り出しやすいとは言いがたい状況になってしまう。
【０００７】
ここで、キッチンメーカーが、引出の深さに適した寸法のまな板を提供することも考えられる。しかしまな板は消耗品であり、また一般的な台所用品であることから、市販品を自由に利用できるようにすることが利用者にとって利便性が高いものと考えられる。
【０００８】
そこで本発明は、このような課題に鑑み、まな板を取り出しやすい高さに収納高さを変更可能なまな板収納装置を提供することを目的としている。
【課題を解決するための手段】
【０００９】
上記課題を解決するために、本発明にかかるまな板収納装置の代表的な構成は、線材を用いた枠体として形成され、引出の内部において引出の前板から離間して設置され、前板との間にまな板を収納する収納部を形成する仕切部材と、仕切部材の下部に取り付けられ、まな板の下端を支持する複数の台座部と、を備え、台座部は、台座部を仕切部材に複数の姿勢で取付可能な複数の接合部と、各姿勢においてまな板の下端をそれぞれ支持する複数の支持面とを有し、複数の接合部は台座部の１つの姿勢につき２つ以上の接合部で仕切部材に嵌合して取り付けられ、かつ２つ以上の接合部は仕切部材の異なる方向へ延びる線材にまたがって嵌合することで台座部の姿勢を固定可能であり、台座部の１の姿勢と他の姿勢とでは引出の底面に対する支持面の高さが異なることを特徴とする。
【００１０】
上記構成によれば、台座部の姿勢を変更することで、支持面の高さを簡単に切り替えることができる。これにより、まな板を取り出しやすい高さに収納高さを容易に変更することができる。また、上記の簡潔な構成の仕切部材および台座部であれば、複雑な加工を要することなく製造が容易である。
【００１１】
上記の複数の支持面のうち、少なくとも１つの支持面は、仕切部材へ向かって低くなる傾斜を有するとよい。この傾斜によって、まな板は引出の前板に寄りかかることとなるため、引出を出し入れする際にまな板が不安定にばたつくことを抑えることができる。
【００１２】
上記の複数の接合部は、１の接合部を中心にして台座部を仕切部材に対して回転可能であって、かつ台座部の回転の前後の各姿勢において他の接合部を仕切部材に嵌合させることによって台座部をそれぞれの姿勢で固定可能であるとよい。
【００１３】
上記構成であれば、台座部は仕切部材から完全に取り外す必要がなく、回転させてその姿勢を変更することができる。したがって、より簡単な操作でまな板の収納高さを変更することが可能となる。
【発明の効果】
【００１４】
本発明によれば、まな板を取り出しやすい高さに収納高さを変更可能なまな板収納装置を提供することができる。
【図面の簡単な説明】
【００１５】
【図１】第１実施形態にかかるまな板収納装置を示す図である。
【図２】図１の台座部を各方向から示す図である。
【図３】図１のまな板収納装置を設置した引出を示す図である。
【図４】図１とは異なる姿勢で取り付けられた台座部を示す図である。
【図５】図４のまな板収納装置を設置した引出を示す図である。
【図６】さらに異なる姿勢で取り付けられた台座部を示す図である。
【図７】図６のまな板収納装置を設置した引出を示す図である。
【図８】第２実施形態にかかるまな板収納装置を示す図である。
【図９】図８の台座部を各方向から示す図である。
【図１０】図８のまな板収納装置を設置した引出を示す図である。
【図１１】姿勢を変更する過程の台座部を示す図である。
【図１２】図１１（ｃ）のまな板収納装置を設置した引出を示す図である。
【図１３】第３実施形態にかかるまな板収納装置を示す図である。
【図１４】図１３の台座部を各方向から示す図である。
【図１５】図１３のまな板収納装置を設置した引出を示す図である。
【図１６】姿勢を変更する過程の台座部を示す図である。
【図１７】図１６（ｃ）のまな板収納装置を設置した引出を示す図である。
【図１８】第１実施形態にかかるまな板収納装置を適用する引出を備えた収納庫を示す図である。
【図１９】引出を引き出す過程を示す図である。
【発明を実施するための形態】
【００１６】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１７】
（第１実施形態）
図１は第１実施形態にかかるまな板収納装置１００を示す図、図２は図１の台座部１２４を各方向から示す図、図３は図１のまな板収納装置１００を設置した引出１０２を示す図である。
【００１８】
図１（ａ）に示すように、本実施形態に掛かるまな板収納装置１００は全体として矩形を有していて、ブックエンドや立て看板のように自立した姿勢で設置することができる。
【００１９】
図１（ａ）に示すように、第１実施形態にかかるまな板収納装置１００は、線材を用いて枠体に形成された仕切部材１０８を備えている。仕切部材１０８は、左右の側辺部１１０、１１２と、側辺部１１０、１１２の上端を結ぶ上辺部１１４とによって矩形を形成している。側辺部１１０、１１２の下方は梁部１１６で接続されていて、剛性が確保されている。また、側辺部１１０、１１２の下端は折り曲げられ、脚部１１８、１２０を形成している。仕切部材１０８に脚部１１８、１２０が設けられるため、図１（ａ）のまな板収納装置１００は自立することができる。
【００２０】
図１（ａ）に示すように、仕切部材１０８の下部には台座部１２４、１２６が取り付けられている。台座部１２４、１２６は樹脂製であって、同一形状に成形されている。台座部１２４、１２６はまな板１０６の下端１２８を支持する（図３（ａ）参照）。台座部１２４は、引出１０２の底面１３０に接していて、まな板収納装置１００の自立を補助にしている。
【００２１】
図２（ａ）および図２（ｂ）では、図１（ａ）の台座部１２４、１２６を代表して、台座部１２４を示している。図２（ａ）に示すように、台座部１２４は矩形に近い形状に成形されている。台座部１２４には、仕切部材１０８への取付けを可能にするための複数の接合部（第１接合部１３２、第２接合部１３６、第３接合部１３８、第４接合部１４４）が設けられている。
【００２２】
図２（ａ）に示すように、第１接合部１３２は、台座部１２４の側面１３４の中央付近にその短手方向にわたって設けられている。図２（ｂ）に示すように、第２接合部１３６および第３接合部１３８は、長手の一方の側面である端部１４０、１４２にそれぞれ同一軸心上に設けられている。第４接合部１４４は、円筒を軸を含む平面で半分に切断したような形状となっていて、端部１４０において、端部１４０に直行しかつ側面１３４から突出するように設けられている。すなわち、第１接合部１３２と、第２接合部１３６および第３接合部１３８と、第４接合部１４４とは、それぞれ直交して３軸方向に向いている。
【００２３】
上記の第１接合部１３２、第２接合部１３６、第３接合部１３８、第４接合部１４４は、仕切部材１０８を形成している線材の形状に合わせた溝として形成されている。この形状により、第１接合部１３２、第２接合部１３６、第３接合部１３８、第４接合部１４４は仕切部材１０８に嵌合することが可能となっている。
【００２４】
上記の第１接合部１３２、第２接合部１３６、第３接合部１３８、第４接合部１４４は、仕切部材１０８の側辺部１１０や梁部１１６等の各部位の位置関係に対応して設けられている。これにより、例えば図１（ｂ）の台座部１２４のように、第１接合部１３２を仕切部材１０８の側辺部１１０の下部に嵌合させ、かつ第２接合部１３６を仕切部材１０８の脚部１１８に嵌合させることが可能となっている。
【００２５】
上記複数の接合部（第１接合部１３２、第２接合部１３６、第３接合部１３８、第４接合部１４４）は、その姿勢の台座部１２４において２つ以上の接合部（例えば、第１接合部１３２および第２接合部１３６）で仕切部材１０８に嵌合して取り付けられている。そして、２つ以上の接合部は、それぞれ仕切部材１０８の異なる方向へ延びる線材（例えば側辺部１１０および脚部１１８）にまたがって嵌合することで台座部１２４の姿勢を固定することが可能である。
【００２６】
再び図２（ａ）を参照する。台座部１２４は、まな板１０６（図３（ｂ）参照）の下端１２８を支持する複数の支持面を有している。例えば、第１支持面１４６は第３接合部１３８が設けられた端部１４２とは反対側に設けられている。また、第２支持面１５０は長手方向の端部１５２に設けられている。第３支持面１５４は、第１支持面１４６よりも高く形成されている。
【００２７】
図３（ａ）の引出１０２はキッチンに備えられる引出である。図３（ａ）に示すように、まな板収納装置１００は引出１０２の前板１０４の背面近傍に設置して使用される。まな板収納装置１００を設置することで、前板１０４の裏にまな板１０６を収納することが可能となる。図３（ｂ）に示すように、仕切部材１０８は前板１０４から離間して設置される。したがって、前板１０４と仕切部材１０８との間の空間は引出１０２の内部から仕切られる。これにより、前板１０４と仕切部材１０８との間にまな板１０６を収納するための収納部１２２が形成される。
【００２８】
図３（ａ）の台座部１２４は、第１接合部１３２および第２接合部１３６（図２（ｂ）参照）を利用して仕切部材１０８に取り付けられていて、第１支持面１４６を利用してまな板１０６を支持している。このとき、引出１０２の底面１３０からの第１支持面１４６の高さは支持面高さｈ１となっていて、まな板１０６の寸法Ｗ１と合わせると、まな板１０６の収納位置の高さは収納高さｈ２となっている。この収納高さｈ２では、前板１０４の上縁１５８の近くにまな板１０６の上端１６０が位置するため、まな板１０６が引出１０２から取り出しやすく好適である。しかし、市販のまな板の寸法は大小さまざまである。そのため、まな板の種類によっては、まな板の収納高さが低くなり、引出１０２から取り出し難くなるおそれがある。
【００２９】
そこで、図２（ａ）および図２（ｂ）に示した台座部１２４は、複数の接合部（第１接合部１３２、第２接合部１３６、第３接合部１３８、第４接合部１４４）のうち仕切部材１０８に嵌合する接合部を変更することで、異なる支持面高さを有する他の姿勢に切り替えることが可能となっている。つまり、複数の接合部（第１接合部１３２、第２接合部１３６、第３接合部１３８、第４接合部１４４）は、台座部１２４を仕切部材１０８に上記複数の姿勢で取り付けることを可能にしている。そして、複数の支持面（第１支持面１４６、第２支持面１５０、第３支持面１５４）が設けられていることで、各姿勢においてまな板の下端をそれぞれ支持することが可能となっている。
【００３０】
図４は、図１とは異なる姿勢で取り付けられた台座部１２４を示す図、図５は図４のまな板収納装置１００を設置した引出１０２を示す図である。
【００３１】
図４（ａ）に示す台座部１２４は図１の台座部と異なり、第２支持面１５０がまな板１６２の下端１６４（図５参照）を支持する姿勢となっている。この台座部１２４の姿勢は、図４（ｂ）に示すように、図１の台座部１２４を仕切部材１０８から取り外し、第２接合部１３６および第３接合部１３８を仕切部材１０８の側辺部１１０に嵌合させ、第４接合部１４４を梁部１１６に嵌合させることで達成している。この姿勢においても、２つ以上の接合部で仕切部材１０８の異なる方向へ延びる線材（側辺部１１０および梁部１１６）にまたがって嵌合しているため、台座部１２４の姿勢は固定可能である。
【００３２】
図５に示すように、台座部１２４は姿勢を変更することで、引出１０２の底面１３０からの支持面高さが異なる姿勢で仕切部材１０８に取り付けることが可能となっている。具体的には、第２支持面１５０の支持面高さｈ３（引出１０２の底面１３０から、まな板１６２の下端１６４との接触点Ｐ１までの距離）は、第１支持面１４６の支持面高さｈ１よりも高くなっている。この姿勢の台座部１２４であれば、寸法Ｗ２の小型のまな板１６２であってもその収納高さｈ４を前板１０４の上縁１５８近傍にまで高くすることができ、引出１０２から取り出しやすくすることができる。
【００３３】
ここで、第２支持面１５０は、仕切部材１０８へ向かって低くなるように傾斜して形成されている。この第２支持面１５０の傾斜によって、まな板１６２は引出１０２の前板１０４に寄りかかることとなる。すなわち、まな板１６２を前板１０４に立て掛けた姿勢で収納することができる。この姿勢であれば、小型で重量の軽いまな板１６２であっても、引出１０２を出し入れする際にまな板１６２が不安定に揺れること、いわゆるばたつきを抑えて収納することが可能となる。なお、第２支持面１５０の傾斜の方向は上記構成に限られず、例えば前板１０４に向かって低くなるように傾斜して形成してもよい。これにより、まな板１６２は仕切部材１０８に立て掛けた姿勢となり、ばたつきが抑えられる。
【００３４】
図６は、さらに異なる姿勢で取り付けられた台座部１２４を示す図、図７は図６のまな板収納装置１００を設置した引出１０２を示す図である。
【００３５】
図６に示すように、台座部１２４は第３支持面１５４がまな板１０６の下端１６４（図７参照）を支持する姿勢となることも可能である。この台座部１２４の姿勢は、第１接合部１３２を仕切部材１０８の側辺部１１０に嵌合させ、接合部を脚部１１８に嵌合させることで達成している。この姿勢へは、図１に示す台座部１２４の姿勢から、第１接合部１３２を中心にして台座部１２４を回転させることで切り替えることが可能である。
【００３６】
図７に示すように、第３支持面１５４の支持面高さｈ５は、第１支持面１４６の支持面高さｈ１よりも高いため、図３（ｂ）と同じ寸法Ｗ１のまな板１０６であっても収納高さｈ６が収納位置高さｈ２よりも高くなっている。この姿勢の台座部１２４であれば、まな板１０６を前板１０４の上縁１５８近傍にまでさらに高くすることができる。
【００３７】
上記説明したように、第１実施形態にかかるまな板収納装置１００によれば、台座部１２４の姿勢を変更することで、支持面の高さを切り替えることができる。これにより、異なる寸法のまな板であっても、各まな板が取り出しやすい高さに収納高さを変更することができる。また、上記の簡潔な構成の仕切部材１０８および台座部１２４であれば、台座部１２４の姿勢の切替の操作が極めて簡単であり、かつ複雑な加工を要することなく製造が容易である。
【００３８】
（第２実施形態）
図８は第２実施形態にかかるまな板収納装置２００を示す図、図９は図８の台座部を各方向から示す図、図１０は図８のまな板収納装置２００を設置した引出１０２を示す図である。なお、第１実施形態のまな板収納装置２００の構成要素と実質的に同一または同様の要素については、同一の符号を付して説明を省略する。
【００３９】
図８（ａ）に示すように、第２実施形態にかかるまな板収納装置２００によっても、キッチンの引出１０２（図１０参照）の前板１０４の背面近傍に設置することで、前板１０４の裏にまな板２０６を収納することが可能である。この第２実施形態にかかるまな板収納装置２００は、仕切部材２０８および台座部２２４、２２６の形状において第１実施形態と異なっている。
【００４０】
仕切部材２０８は、仕切部材１０８と同様に、左右の側辺部２１０、２１２、および側辺部２１０、２１２の上端を結ぶ上辺部２１４を備えている。そして、側辺部２１０、２１２の下端には脚部２１８、２２０が設けられている。仕切部材２０８では、台座部２２４、２２６との干渉を防ぐために梁部が省略されている。しかしこれに限るものではなく、梁部を省略することなくその設置位置を変更することによっても台座部２２４、２２６との干渉は防止できる。
【００４１】
図８（ａ）に示すように、台座部２２４、２２６は仕切部材２０８の下部に取り付けられる。台座部２２４、２２６は、樹脂製で互いに面対称な構成となっている。しかし、台座部２２４、２２６の形状は互いに同一形状であってもよい。同一形状であれば、台座部２２４、２２６は共通の型を用いて成形可能である。
【００４２】
図９（ａ）および図９（ｂ）では、図８（ａ）および図８（ｂ）の台座部２２４、２２６を代表して、台座部２２４を示している。図９（ｂ）に示すように、台座部２２４には、まな板収納装置２００の設置時に仕切部材２０８の脚部２１８、２２０に代わって脚の役目を担う足継部２３０、２３２が設けられている。この足継部２３０、２３２は同一方向に延びている。また、台座部２２４には、各接合部および各支持面を設置するための第１延伸部２３４および第２延伸部２３６が設けられている。第１延伸部２３４は足継部２３２が延びる方向とは直交する方向に板状に延びている。第２延伸部２３６は足継部２３２とは反対方向に延び、そこから先端が斜めに折れて延びている。これらにより、図９（ａ）および図９（ｂ）に示すように、台座部２２４は全体として卍字形状に近い形状となっている。
【００４３】
図９（ａ）に示すように、台座部２２４には仕切部材２０８への取付けを可能にするための複数の接合部が設けられている。第１接合部２３８は、第１延伸部２３４の端部に設けられていて、第２接合部２４０は第２延伸部２３６の端部に設けられている。第３接合部２４２および第４接合部２４４は、第１延伸部２３４から足継部２３０にかけての領域に設けられている。
【００４４】
上記の第１接合部２３８と、第３接合部２４２および第４接合部２４４とは略Ｌ字となるように並んでいる。さらに第２接合部２４０と、第３接合部２４２および第４接合部２４４とは略Ｌ字となるように並んでいる。すなわち、第１接合部２３８と、第２接合部２４０と、第３接合部２４２および第４接合部２４４とは、それぞれ直交して３軸方向に向いている。これらの各接合部（第１接合部２３８、第２接合部２４０、第３接合部２４２、第４接合部２４４）は、仕切部材２０８を形成している線材の形状に係合する溝として形成されている。
【００４５】
図８（ｂ）に示すように、複数の接合部（第１接合部２３８、第２接合部２４０、第３接合部２４２、第４接合部２４４）は、上記略Ｌ字に並ぶことで仕切部材２０８の側辺部２１０および脚部２１８に嵌合することが可能となっている。例えば、図８（ｂ）の姿勢における台座部２２４では、第１接合部２３８を仕切部材２０８の側辺部２１０の下部に嵌合させ、かつ第３接合部２４２および第４接合部２４４を仕切部材２０８の脚部２１８に嵌合させている。このように、複数の接合部（第１接合部２３８、第２接合部２４０、第３接合部２４２、第４接合部２４４）は、その姿勢の台座部２２４において２つ以上の接合部で仕切部材２０８に嵌合して取り付けられている。そして、２つ以上の接合部は、それぞれ仕切部材２０８の異なる方向へ延びる線材（側辺部２１０および脚部２１８）にまたがって嵌合することで台座部２２４の姿勢を固定することが可能である。
【００４６】
再び図９（ａ）を参照する。台座部２２４は、まな板（図１０参照）の下端２２８を支持する複数の支持面を有している。例えば、第１支持面２４６は第１延伸部２３４の側面に設けられている。また、第２支持面２４８は、第２延伸部２３６の斜めに折れて延びる領域の側面に設けられている。
【００４７】
図１０に示すように、台座部２２４（または台座部２２６（図８（ａ）参照））はまな板２０６の下端２２８を支持する。台座部２２４は、引出１０２の底面１３０に接していて、仕切部材２０８の脚部２１８とともにまな板収納装置２００の自立を可能にしている。図１０の台座部２２４は、第１接合部２３８と、第３接合部２４２および第４接合部２４４を利用して仕切部材２０８に取り付けられていて、第１支持面２４６を利用してまな板２０６を支持する姿勢となっている。このとき、引出１０２の底面１３０からの第１支持面２４６の高さは支持面高さｈ７となっていて、まな板２０６の寸法Ｗ３と合わせ、まな板２０６の収納位置の高さは収納高さｈ８となっている。この収納高さｈ８では、前板１０４の上縁１５８近くにまな板２０６の上端２６０が位置するため、まな板２０６が取り出しやすく好適である。
【００４８】
第２実施形態においても、図９（ａ）および図９（ｂ）に示した台座部２２４は、複数の接合部（第１接合部２３８、第２接合部２４０、第３接合部２４２、第４接合部２４４）のうち仕切部材２０８に嵌合する接合部を変更することで、１の姿勢から異なる支持面高さを有する他の姿勢に切り替えることが可能となっている。
【００４９】
図１１は、姿勢を変更する過程の台座部２２４を示す図である。図１１に示すように、第２実施形態のまな板収納装置２００が備える台座部２２４は、１の接合部を中心にして仕切部材２０８に対して回転することで姿勢を切り替えることが可能である。
【００５０】
例えば、図１１（ａ）に示す姿勢の台座部２２４では、第１接合部２３８を仕切部材２０８の側辺部２１０の下部に嵌合させ、かつ第３接合部２４２および第４接合部２４４を仕切部材２０８の脚部２１８に嵌合させている。この台座部２２４の姿勢を変更するためには、図１１（ｂ）に示すように、まず第１接合部２３８を仕切部材２０８の側辺部２１０から外し、第３接合部２４２および第４接合部２４４を中心にして、第２接合部２４０を側辺部２１０に近づける方向に回転させる。そして、図１１（ｃ）に示すように、第２接合部２４０を側辺部２１０に嵌合させ、姿勢の切換が完了する。
【００５１】
なお、図１１（ａ）および図１１（ｃ）に示すように、回転の前後である各姿勢の台座部２２４において、回転の中心となる第３接合部２４２、第４接合部２４４とそれ以外の第１接合部２３８、第２接合部２４０とによって仕切部材２０８の異なる方向へ延びる線材（側辺部２１０および脚部２１８）にまたがって嵌合しているため、台座部２２４の姿勢は固定可能である。
【００５２】
図１２は、図１１（ｃ）のまな板収納装置２００を設置した引出１０２を示す図である。図１２に示す台座部２２４は、図１０の台座部２２４とは姿勢が異なり、第２支持面２４８がまな板２５０の下端２５２を支持する姿勢となっている。さらに、台座部２２４の足継部２３０、２３２によってまな板収納装置２００が図１０よりも高く位置している。これらによって、支持面高さｈ９（引出１０２の底面１３０から、まな板２５０の下端２５２との接触点Ｐ２までの距離）は、支持面高さｈ７よりも高くなっている。したがって、寸法Ｗ４の小型のまな板であっても、まな板の収納高さｈ１０を前板１０４の上縁１５８近傍にまで高くすることができる。したがって、まな板２５０の上端２６２を把持しやすくすることができる。
【００５３】
ここで、第２支持面２４８は、仕切部材２０８へ向かって低くなるように傾斜している。この第２支持面２４８の傾斜によって、小型で重量の軽いまな板２５０であっても、引出１０２を出し入れする際にまな板２５０が不安定に揺れること、いわゆるばたつきを抑えて収納することが可能となる。
【００５４】
上記説明したように、第２実施形態のまな板収納装置２００であれば、台座部２２４は仕切部材２０８から完全に取り外す必要がなく、回転させてその姿勢を変更することができる。したがって、より簡単な操作でまな板の収納高さを変更することが可能となる。
【００５５】
（第３実施形態）
図１３は第３実施形態にかかるまな板収納装置３００を示す図、図１４は図１３の台座部３２４を各方向から示す図、図１５は図１３のまな板収納装置３００を設置した引出１０２を示す図である。なお、第１〜第２実施形態のまな板収納装置３００の構成要素と実質的に同一または同様の要素については、同一の符号を付して説明を省略する。
【００５６】
図１３（ａ）に示すように、第３実施形態にかかるまな板収納装置３００によっても、キッチンの引出１０２（図１５参照）の前板１０４の背面近傍に設置することで、前板１０４の裏にまな板３０６を収納することが可能である。この第３実施形態にかかるまな板収納装置３００は、仕切部材３０８および台座部３２４の形状において第１〜第２実施形態と異なっている。台座部３２４、３２６は仕切部材３０８の下部に取り付けられる。台座部３２４、３２６は、樹脂製で互いに同一形状である。
【００５７】
仕切部材３０８は、左右の側辺部３１０、３１２、および側辺部３１０、３１２の上端を結ぶ上辺部３１４を備えている。側辺部２１０、２１２の下端には脚部３１８、３２０が設けられている。そして、側辺部３１０、３１２は、第１梁部３１６および第２梁部３１７で接続されている。第１梁部３１６および第２梁部３１７は、台座部３２４、３２６を仕切部材３０８に取り付ける際に使用される。また、第１梁部３１６および第２梁部３１７を備えることによって仕切部材３０８の剛性を向上できる。
【００５８】
図１４（ａ）および図１４（ｂ）では、図１３（ａ）の台座部３２４、３２６を代表して、台座部３２４を示している。図１４（ａ）（ｂ）に示すように、台座部３２４は、略Ｃ字形状の基部３３０と、基部３３０から略Ｌ字形状に延びるＬ字脚部３３４を備えている。Ｌ字脚部３３４は仕切部材３０８の脚部３１８とともに、まな板収納装置３００の自立を可能にしている。略Ｃ字形状の基部３３０の内側には、仕切部材３０８への取付けを可能にするための複数の接合部が互いに平行に設けられている。
【００５９】
第１接合部３３６は、Ｌ字脚部３３４の近傍に設けられている。第２接合部３３８および第３接合部３４０は、互いに第１接合部３３６から等しい間隔に設けられている。この第１接合部３３６と、第２接合部３３８または第３接合部３４０との間の間隔は、第１梁部３１６および第２梁部３１７の間の間隔に対応している。これら接合部は、仕切部材３０８を形成している線材の形状に合わせた溝として形成されている。この形状により、接合部は仕切部材３０８に嵌合することが可能となっている。
【００６０】
例えば図１３（ｂ）に示すように、台座部３２４は第２接合部３３８を第１梁部３１６に嵌合させ、かつ第１接合部３３６を第２梁部３１７に嵌合させることが可能となっている。このように、複数の接合部は、その姿勢の台座部３２４において２つ以上の接合部で仕切部材３０８に嵌合して取り付けられている。第１梁部３１６および第２梁部３１７は同じ方向に延びる線材であるが、このように異なる２つの位置の線材にまたがって嵌合することによっても台座部３２４の姿勢を固定することが可能である。
【００６１】
再び図１４（ａ）を参照する。台座部３２４は、まな板３０６（図１５参照）の下端３２８を支持する複数の支持面を有している。例えば、第１支持面３４２はＬ字脚部３３４の根本側の領域の側面に形成されていて、第２支持面３４４は基部３３０の外側において第３接合部３４０よりも先端３４６側の領域の側面に設けられている。
【００６２】
図１５に示すように、台座部３２４（または、台座部３２６（図１３（ａ）参照）はまな板３０６の下端３２８を支持する。台座部３２４は、引出１０２の底面１３０に接していて、仕切部材３０８の脚部３１８、３２０とともにまな板収納装置３００の自立を可能にしている。図１５の台座部３２４は、第１接合部３３６および第２接合部３３８（図１３（ａ）参照）を利用して仕切部材３０８に取り付けられていて、第１支持面３４２を利用してまな板３０６を支持する姿勢となっている。このとき、引出１０２の底面１３０からの第１支持面３４２の高さは支持面高さｈ１１となっていて、まな板３０６の寸法Ｗ５と合わせ、まな板３０６の収納位置の高さは収納高さｈ１２となっている。この収納高さｈ１２では、前板１０４の上縁１５８近くにまな板３０６の上端３４８が位置するため、まな板３０６が取り出しやすく好適である。
【００６３】
第３実施形態においても、台座部３２４は、複数の接合部（第１接合部３３６、第２接合部３３８、第３接合部３４０）のうち仕切部材３０８に嵌合する接合部を変更することで、１の姿勢から異なる支持面高さを有する他の姿勢に切り替えることが可能となっている。
【００６４】
図１６は、姿勢を変更する過程の台座部３２４を示す図である。図１６に示すように、第３実施形態のまな板収納装置３００が備える台座部３２４は、１の接合部を中心にして仕切部材３０８に対して回転することで姿勢を切り替えることが可能である。
【００６５】
例えば、図１６（ａ）に示す姿勢の台座部３２４では、第２接合部３３８を仕切部材３０８の第１梁部３１６に嵌合させ、かつ第１接合部３３６を仕切部材３０８の第２梁部３１７に嵌合させている。この台座部３２４の姿勢を変更するためには、図１６（ｂ）に示すように、まず第２接合部３３８を第１梁部３１６から外し、第１接合部３３６を中心にして、第３接合部３４０を第１梁部３１６に近づける方向に回転させる。そして、図１６（ｃ）に示すように、第３接合部３４０を第１梁部３１６に嵌合させ、姿勢の切換が完了する。
【００６６】
なお、図１６（ａ）および図１６（ｃ）に示すように、回転の前後である各姿勢の台座部３２４において、回転の中心となる第１接合部３３６とそれ以外の他の第１および第３接合部３４０とによって、仕切部材３０８の２つの異なる位置の線材（第１梁部３１６および第２梁部３１７）にまたがって嵌合しているため、台座部３２４の姿勢は安定して固定可能である。
【００６７】
図１７は、図１６（ｃ）のまな板収納装置３００を設置した引出１０２を示す図である。図１７の姿勢の台座部３２４では、図１５の姿勢の台座部３２４とは異なり、第２支持面３４４がまな板３５０の下端３５２を支持する姿勢となっている。これによって、支持面高さｈ１３は、支持面高さｈ１１よりも高くなっている。したがって、寸法Ｗ６の小型のまな板３５０であっても、まな板３５０の収納高さｈ１４を前板１０４の上縁１５８近傍にまで高くすることができる。したがって、まな板３５０の上端３５４が把持しやすくなる。
【００６８】
なお、第２支持面３４４は引出１０２の底面１３０と略平行となるように形成されているが、第２支持面３４４には傾斜を設けてもよい。例えば第２支持面３４４を仕切部材３０８へ向かって低くなるように傾斜させることで、まな板３５０は前板１０４に寄りかかることとなる。したがって、まな板３５０を前板１０４に立て掛けた姿勢で収納することができる。そのため、小型で重量の軽いまな板３５０であっても、引出１０２を出し入れする際にまな板３５０が不安定に揺れること、いわゆるばたつきを抑えて収納することが可能となる。
【００６９】
上記説明したように、第３実施形態のまな板収納装置３００によっても、台座部３２４は仕切部材３０８から完全に取り外す必要がなく、回転させてその姿勢を変更することができる。したがって、より簡単な操作でまな板の収納高さを変更することが可能となる。
【００７０】
（実施例）
以下、第１実施例にかかるまな板収納装置１００の実施例について説明する。図１８は、第１実施形態にかかるまな板収納装置１００を適用する引出を備えた収納庫４００を示す図である。
【００７１】
図１８（ａ）では、引出の前板を透過させてキッチン４０２を表示している。図１８（ａ）に示すように、収納庫４００はキッチン４０２にベースキャビネットとして備えられている。キッチン４０２は一枚の天板４０４（ワークトップ）の下に複数の収納庫（キャビネット）を備えた、いわゆるシステムキッチンである。
【００７２】
図１８（ｂ）は図１８（ａ）の収納庫４００を奥側から示している。収納庫４００の引出４１６の内部には、被収納物を載置可能な収納手段４１８が備えられている。収納手段４１８は、梁４４６に収納ケース４５６および包丁差し４５８が掛けられており、梁４４６が上下動することによって収納手段４１８が昇降する。梁４４６はブラケット４３６に中央を軸支されたアーム４３４の一端に支持されており、アーム４３４がシーソーのように回動することによって昇降する。アーム４３４の他端にはプーリ４３８が取り付けられていて、壁板４６４に設けられた案内溝４４０に沿って移動する。案内溝４４０は引出４１６を引き出す方向に向かって下降しており、引出を引き出せば収納手段４１８が上昇し、引出を押し込めば収納手段４１８が下降する。
【００７３】
図１９は引出を引き出す過程を示す図である。特に、図１９（ａ）は引出４１６が閉められた状態を示す図、図１９（ｂ）は概ね引出４１６が引き出された状態を示す図である。
【００７４】
本実施形態において包丁差し４５８は奥行きが短く、包丁差し４５８と前板４２０との間には隙間がある。そこで、前板４２０と包丁差し４５８の間に、上記説明したまな板収納装置１００を設置している。まな板収納装置１００は底板４２６の上に載置されており、収納手段４１８が昇降してもまな板収納装置１００は昇降しない。
【００７５】
まず、図１９（ａ）に示すように引出４１６が閉められた状態においては、プーリ４３８は案内溝４４０の奥側の高い位置にあり、収納手段４１８は低い位置に支持される。図１９（ｂ）に示すように引出４１６を引き出すと、プーリ４３８は案内溝４４０の前側の低い位置に移動するため、収納手段４１８は高い位置に持ち上げられる。引出４１６を押し込む際には上記と逆の態様となる。
【００７６】
図１９（ｂ）に示すように、引出４１６を引き出した状態においては、収納手段４１８が高い位置にまで移動するため、包丁等の収納物をすぐ手に取ることが可能となる。このとき、まな板収納装置１００を前板４２０と包丁差し４５８との間に設置することで、前板４２０と包丁差し４５８との間の限られた空間をまな板４０６を収納するための収納空間として利用することが可能となる。さらに、上記実施形態で説明したように、まな板収納装置はまな板４０６の寸法に合わせてまな板４０６の収納高さを高くすることができる。これにより、引出４１６の内部に手を差し入れずにまな板４０６を取り出すことが可能になるため、包丁差し４５８が上昇することでまな板４０６が取り出し難くなるおそれはない。
【００７７】
上記説明したように、昇降する収納手段４１８とまな板収納装置１００とを組み合わせることで、引出４１６の前板４２０の背面近傍は収納物の取り出しやすい非常に使い勝手のよい空間となる。
【００７８】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００７９】
本発明は、引出を備える収納庫の内部においてまな板を収納するまな板収納装置に適用することができる。
【符号の説明】
【００８０】
１００、２００、３００  …まな板収納装置、１０２、４１６  …引出、１０４、４２０  …前板、１０６、１６２、２０６、２５０、３０６、３５０  …まな板、１０８、２０８、３０８  …仕切部材、１１０、１１２、２１０、２１２、３１０、３１２  …側辺部、１１４、２１４、３１４  …上辺部、１１６  …梁部、１１８、１２０、２１８、２２０  …脚部、１２２  …収納部、１２４、１２６、２２４、２２６、３２４、３２６  …台座部、１２８、１６４、２２８、２５２、３２８、３５２  …下端、１３０  …底面、１３２、２３６、３３６  …第１接合部、１３４  …側面、１３６、２４０、３３８  …第２接合部、１３８、２４２、３４０  …第３接合部、１４０、１５２  …端部、１４４、２４４  …第４接合部、１４６、２４６、３４２  …第１支持面、１５０、２４８、３４４  …第２支持面、１５４  …第３支持面、１５８  …上縁、１６０、２６０、２６２、３４８、３５４  …上端、２３０、２３２  …足継部、２３４  …第１延伸部、２３６  …第２延伸部、２４４  …第４接合部、３１６  …第１梁部、３１７  …第２梁部、３３０  …基部、３３４  …Ｌ字脚部、３４６  …先端、４００  …収納庫、４０２  …キッチン、４０６  …まな板、４１８  …収納手段、４２０  …前板、４２６  …底板、４３４  …アーム、４３６  …ブラケット、４３８  …プーリ、４４０  …案内溝、４５６  …収納ケース、４６４  …壁板
【図１】
0005404526.tif 000002
【図２】
0005404526.tif 000003
【図３】
0005404526.tif 000004
【図４】
0005404526.tif 000005
【図５】
0005404526.tif 000006
【図６】
0005404526.tif 000007
【図７】
0005404526.tif 000008
【図８】
0005404526.tif 000009
【図９】
0005404526.tif 000010
【図１０】
0005404526.tif 000011
【図１１】
0005404526.tif 000012
【図１２】
0005404526.tif 000013
【図１３】
0005404526.tif 000014
【図１４】
0005404526.tif 000015
【図１５】
0005404526.tif 000016
【図１６】
0005404526.tif 000017
【図１７】
0005404526.tif 000018
【図１８】
0005404526.tif 000019
【図１９】
0005404526.tif 000020